(57)【要約】【課題】静止画を連続して表示するアプリケーションで、ＢＧＭとして音楽を再生する。この時、音楽の再生を表示する静止画と独立して行うこと、すなわち、ユーザーが静止画の表示を切り換えた場合にも、音楽の再生を連続して行うこと。【解決手段】情報をファイル形式で記録する記録媒体に、映像情報ファイルと音声情報ファイルとを記録する際に、映像情報ファイルと該映像情報ファイル再生時に選択可能な音声情報ファイルとの関連を示す音声選択情報が記録しておく。この記録媒体から映像情報ファイルを再生する際には、映像情報ファイルとともに、上記音声選択情報に含まれる音声情報ファイルを再生する。【選択図】  図４
2004334964.tif 000002
【特許請求の範囲】
【請求項１】
情報をファイル形式で記録する記録媒体であって、
映像情報ファイルが格納される領域と、
音声情報ファイルが格納される領域と、
前記映像情報ファイルと前記映像情報ファイル再生時に選択可能な音声情報ファイルとの関連を示す音声選択情報が格納される領域とを有していることを特徴とする記録媒体。
【請求項２】
記録媒体に記録されている情報を再生する再生方法であって、
前記記録媒体に記録されている映像情報ファイルを再生する際、前記映像情報ファイルと前記映像情報ファイル再生時に選択可能な前記記録媒体に記録されている音声情報ファイルとの関連を示す音声選択情報を前記記録媒体から再生し、前記音声選択情報に基づいて前記記録媒体に記録されている音声情報ファイルを再生することを特徴とする再生方法。
【請求項３】
請求項２に記載の再生方法であって、
前記音声選択情報に含まれる音声情報ファイルから任意の音声情報ファイルを選択できるように制御することを特徴とする再生方法。
【請求項４】
請求項３に記載の再生方法であって、
前記映像情報ファイルの再生中には、前記選択された音声情報ファイルを繰り返し再生することを特徴とする再生方法。
【請求項５】
記録媒体に記録されている情報を再生する再生装置であって、
前記記録媒体に記録されている映像情報ファイルを再生する際、前記映像情報ファイルと前記映像情報ファイル再生時に選択可能な前記記録媒体に記録されている音声情報ファイルとの関連を示す音声選択情報を前記記録媒体から再生し、かつ前記音声選択情報に基づいて前記記録媒体に記録されている音声情報ファイルを再生する手段を備えていることを特徴とする再生方法。
【請求項６】
請求項５に記載の再生装置であって、
前記音声選択情報に含まれる音声情報ファイルから任意の音声情報ファイルを選択できる手段を備えていることを特徴とする再生装置。
【請求項７】
請求項６に記載の再生装置であって、
前記映像情報ファイルの再生中には、利用者によって選択された音声情報ファイルを繰り返し再生することを特徴とする再生装置。
【請求項８】
情報を記録媒体にファイル形式で記録する記録装置であって、
映像情報ファイルと音声情報ファイルとを記録する際に、前記映像情報ファイルと前記映像情報ファイル再生時に選択可能な前記音声情報ファイルとの関連を示す音声選択情報を記録する手段を備えていることを特徴とする記録装置。
【請求項９】
情報を記録媒体にファイル形式で記録する記録方法であって、
映像情報ファイルと音声情報ファイルとを記録する際に、前記映像情報ファイルと前記映像情報ファイル再生時に選択可能な前記音声情報ファイルとの関連を示す音声選択情報を記録することを特徴とする記録方法。
【発明の詳細な説明】
【０００１】
【発明の属する技術分野】
本発明は、記録媒体に記録した画像と音声を再生する再生技術に関するものであり、特に、静止画と音声を同時に再生する際の記録媒体、再生技術、記録技術に関するものである。
【０００２】
【従来の技術】
ＤＶＤ（Ｄｉｇｉｔａｌ  Ｖｅｒｓａｔｉｌｅ  Ｄｉｓｃ）と呼ばれる光ディスクに記録された映像と音声を再生するＤＶＤプレーヤーが広く普及している。ＤＶＤでは、動画の他に、静止画や音声なども記録し、再生することが出来る。
【０００３】
例えば、特許文献１には、音声と映像を関連づけて再生する再生装置が示されている。
【０００４】
【特許文献１】
特開２０００−３３３１２６
【０００５】
【発明が解決しようとする課題】
上記のような再生装置では、それぞれの音声データに対して、静止画が関連づけられており、音声の再生に伴って、自動的に静止画が紙芝居の如く表示されていく。ユーザーが特定の静止画で表示を停止した場合、音声も停止してしまう。また、直前の静止画に戻ったり、次の静止画に飛ばしたりという操作を行った場合、音声も同時に操作されてしまい、連続して再生することは出来なかった。つまり、音楽の再生は、静止画の再生状態に依存する形でしか実現できなかった。
【０００６】
しかしながら、スライド写真のように静止画を連続して表示するアプリケーション上での音楽再生を考えた場合、ＢＧＭ（Ｂａｃｋ  Ｇｒｏｕｎｄ  Ｍｕｓｉｃ）として音楽を再生したいという要望が出てくる。この場合、音楽の再生は、表示する静止画とは独立して行われなくてはならない。すなわち、ユーザーが静止画の表示を切り換えたり、一時停止して特定の静止画を表示し続けたりする場合にも、音楽の再生は連続して行われる必要がある。
【０００７】
本発明の目的は、静止画を連続して表示する際、静止画の再生状態に依存しない、自由度を持った音声データの再生技術を提供することにある。
【０００８】
【課題を解決するための手段】
上記目的を達成するために、本発明では、情報をファイル形式で記録する記録媒体に、映像情報ファイルが格納される領域と、音声情報ファイルが格納される領域と、前記映像情報ファイルと前記映像情報ファイル再生時に選択可能な音声情報ファイルとの関連を示す音声選択情報が格納される領域を持たせる。
【０００９】
また、この記録媒体に記録されている映像情報ファイルを再生する際、前記音声選択情報を前記記録媒体から再生し、前記音声選択情報に基づいて前記記録媒体に記録されている音声情報ファイルを再生することとする。
【００１０】
さらに、映像情報ファイルと音声情報ファイルとを記録する際には、前記映像情報ファイルと前記映像情報ファイル再生時に選択可能な前記音声情報ファイルとの関連を示す音声選択情報を記録することとする。
【００１１】
【発明の実施の形態】
以下、本発明を適用した実施例について図面を用いて説明する。
まず、各図の内容について説明する。
図１は、本発明を適用した実施例である再生装置のブロック図である。
図１中、１０１は光ディスク、１０２は光ピックアップ、１０３は再生信号処理回路、１０４は出力制御回路、１０５はサーボ回路、１０６はドライブ制御回路、１０７は音声デコーダ、１０８は音声出力端子、１０９は映像デコーダ、１１０は映像出力端子、１１１はＣＰＵあるいはＭＰＵで構成するシステム制御回路、１１２はリモコン受信回路である。各ブロックの動作については後述する。
【００１２】
図２は、図１で示した再生装置で使用する光ディスク上のファイル構成を示す図である。
図２中、２０１はメニュー情報、２０２はプレイリストテーブル、２０３はプレイリストファイル、２０４はストリームファイルである。
【００１３】
記録媒体である光ディスク１０１上に記録されているデータは、ファイル形式で記録されており、各ファイルには、ファイル識別子（ファイル名）が付加されている。光ディスク１０１のファイル管理情報領域には、ファイル管理情報として、記録されている各ファイルのファイル識別子、ファイルサイズ、ファイル記録領域、ファイル記録時刻などの情報が記録されている。ファイル読み出し時には、ファイル管理情報領域からファイル管理情報を読み出し、必要なファイル識別子に対応したファイル管理情報を参照することにより、光ディスク上の記録領域を判別することができ、ファイルの読み出しを行うことができる。
【００１４】
ここで、ストリームファイル２０４は、映像情報や音声情報が記録されたファイルである。ここで、映像情報は、ＭＰＥＧ２方式のような画像圧縮処理がなされたデータである。また、音声情報は、ＭＰＥＧ１方式のような音声圧縮処理がなされたデータや、リニアＰＣＭ（Ｐｕｌｓｅ  Ｃｏｄｅｄ  Ｍｏｄｕｌａｔｉｏｎ）形式で記録されたデータである。各データは、例えば、所定長さのＭＰＥＧトランスポートストリーム（ＴＳ）に変換し、ファイル形式で記録しておけばよい。
【００１５】
なお、上記ストリームファイル２０４中のストリームには、映像情報パケットと音声情報パケットの両方が記録されていてもよいし、片側の情報パケットのみが記録されていてもよい。また、映像情報パケットとして、単数ないし複数の静止画情報を記録したものでもよい。
【００１６】
これらファイル構成に関する情報は、光ディスク１０１上のファイル管理情報記録領域に記録される。
【００１７】
図３は、プレイリストテーブルの構造を示す図である。
図３中、３０１はデータＩＤ、３０２はプレイリスト数、３０３はプレイリスト情報である。
プレイリストテーブルは、記録媒体上に記録されているプレイリストを列記したものである。
プレイリストテーブルの先頭には、このデータがプレイリストテーブルであることを示すデータＩＤ３０１が書き込まれる。たとえば、“ＰＬ−ＴＡＢＬＥ”のような文字列データとすればよい。
プレイリスト数３０２は、プレイリストテーブル中に記録されているプレイリスト情報の数を示している。
プレイリスト情報３０３は、実際のプレイリストが記録されているファイルの識別子を示す。具体的には、“０００１．ＰＬＳ”のような文字列である。
プレイリスト数とプレイリスト情報を用いることにより、記録媒体上に記録されている全てのプレイリストのファイル情報を得ることができる。
【００１８】
図４は、プレイリストの構造を示す図である。
図４中、４０１はデータＩＤ、４０２はメインストリーム数、４０３は選択ストリーム数、４０４はメインストリーム情報、４０５はファイル識別子情報、４０６は再生開始パケット番号、４０７は再生終了パケット番号、４０８は付加情報、４０９は選択ストリーム情報である。
【００１９】
プレイリストの先頭には、このデータがプレイリストテーブルであることを示すデータＩＤ４０１が書き込まれる。たとえば、“ＰＬＡＹＬＩＳＴ”のような文字列データとすればよい。
メインストリーム数４０２は、プレイリストに含まれるメインストリームの数を示している。
同様に、選択ストリーム数４０３は、プレイリストに含まれる選択ストリームの数を示している。
【００２０】
それぞれのストリーム情報４０４には、ファイル識別子情報４０５、再生開始パケット番号４０６、再生終了パケット番号４０７、付加情報４０８が含まれる。ここで、ファイル識別子情報４０５は、ストリームを記録したファイルのファイル識別子である。再生開始パケット番号４０６は、ストリームを再生する際に、各ファイルで再生を開始するパケットの番号を示す。再生終了パケット番号４０７は、各ファイルの再生を行う最後のパケット番号を示す。付加情報４０８は、メインストリームや選択ストリームに含まれるデータ種類の識別のためのフラグや、メインストリームの名称、ないし静止画データからならサムネイル情報などを記録する領域である。
【００２１】
プレイリストが選択され、再生動作を行う際には、プレイリストに含まれる各メインストリーム４０４のデータを連続して再生する。具体的には、各メインストリーム情報に含まれるファイル識別子４０５に対応したファイルを読み出し、このファイルに含まれるストリームの、再生開始パケット番号４０６から再生終了パケット番号４０７までのパケットを再生し、デコードを行うことにより、データの再生が行われる。
【００２２】
なお、図面にはメインストリーム情報４０４を複数記載しているが、もちろん、１つでもよい。
【００２３】
一方、選択ストリーム４０９は、メインストリームを再生中に、ユーザーの選択により再生可能なストリームを示す。
図面には、選択ストリーム４０９も複数記載しているが、１つでもよいし、ユーザーに選択を行わせるストリームがない場合には、選択ストリームがなくてもよい。この場合、選択ストリーム数を０にすれば、矛盾は生じない。１つであってもよい。
【００２４】
図５は、本実施例にかかるＭＥＰＧストリームの記録形式を示す図である。
ＭＰＥＧトランスポートストリームは、１８８バイトの長さを持ったパケット５０１の集合である。各パケットには、４バイトのパケットヘッダー５０２を付加して記録する。このパケットヘッダー５０２には、パケットの伝送時刻を示す３０ビットのタイムスタンプ５０３と、２ビットの付加情報であるＡＵＸ５０４を記録する。ここで、タイムスタンプは、２７ＭＨｚでカウントした時刻情報であり、再生時に、パケットの伝送タイミングを制御するために使用される。２ビットの付加情報は、例えば、著作権管理情報などを記録するために使用できる。
【００２５】
以下、図面を用いて、再生装置の再生動作を説明する。
記録媒体である光ディスク１０１が挿入されると、システム制御部１１１は、光ディスク上のファイル管理情報領域から、ファイル管理情報を読み出す。具体的には、システム制御部１１１は、ドライブ制御部１０６に対し、ファイル管理情報領域のデータ読み出しを指示する。ドライブ制御部１０６は、指定された領域のデータを読み出すために、サーボ１０５を制御し、光ディスク１０１の回転速度や光ピックアップ１０２の位置を制御する。光ディスク１０１上の所定の位置から光ピックアップ１０２により読み出された再生信号は、再生信号処理回路１０３により所定の復調処理、誤り訂正処理などが行われる。この処理により再生されたファイル管理情報を含むディジタルデータは、ドライブ制御部１０６を介してシステム制御部１１１に供給される。
ファイル管理情報には、光ディスク１０１上に記録されているファイルの識別子、記録位置、記録時刻などの詳細な情報が含まれている。
【００２６】
システム制御部１１１は、再生されたファイル管理情報を用いて、図３に示すようなプレイリストテーブルを読み出す。プレイリストテーブルには、プレイリスト数３０２と各プレイリストのファイル識別子（ファイル名）３０３が記録されている。システム制御部１１１は、上記プレイリストテーブル中のプレイリストをモニター画面に表示する。
【００２７】
ユーザーは、モニター画面上に表示されたプレイリストから所望のファイルの選択を行う。プレイリスト選択の際には、リモコン（図示せず）に設けられている“矢印ボタン”や“決定ボタン”などを使用する。
【００２８】
ユーザーのリモコン操作は、リモコン受信部１１２からシステム制御部１１１に伝えられ、即座にモニター画面に反映される。ユーザーが再生したいプレイリストを選択すると、システム制御部１１１は、選択されたプレイリストに対応した映像・音声の再生を開始する。ここで、図４に示したようなプレイリストには、メインストリーム情報４０４と選択ストリーム情報４０９が記録されている。
【００２９】
システム制御部１１１は、メインストリーム情報４０４に含まれるファイル識別子情報４０５を用いて、光ディスク上のストリームファイルを読み出し、再生信号処理回路１０３によりデジタルデータに変換する。再生されたデジタルデータは、図５に示したデータ形式である。再生信号処理回路１０３は、システム制御部１１１から入力される再生開始パケット番号と再生終了パケット番号に応じ、再生対象であるパケットデータを、出力制御部１０４に供給する。
【００３０】
出力制御部１０４は、入力されたデジタルデータ中のパケットヘッダーを用いて、各パケットの出力タイミングを制御する。また、ＭＰＥＧパケット中のパケットＩＤを用いて、各パケットが映像パケットであるか、音声パケットであるかを識別し、識別結果に応じて各パケットを映像デコーダまたは音声デコーダに振り分ける。
【００３１】
映像デコーダ１０９に入力された映像データパケットは、映像デコーダにより映像信号にデコードされる。デコードされた映像信号は、映像信号出力端子１１０を介して、外部のモニター画面に表示される。
【００３２】
同様に、音声デコーダ１０７に入力された音声データパケットは、音声デコーダにより音声信号にデコードされる。デコードされた音声信号は、音声出力端子１０８を介して、外部のスピーカーなどから出力される。
【００３３】
ここで、プレイリスト中に、選択可能な選択ストリームがある場合、システム制御部１１１は、ユーザーに対して、選択可能ストリームがある旨、モニターに表示を行う。具体的には、各選択ストリームの付加情報中のストリーム名称やサムネイル情報などを表示することにより、ユーザーによる選択ストリームの選択を促す。
【００３４】
ユーザーは、表示された選択ストリームの名称やサムネイル情報から、所望の選択ストリームを選択する。ここで、選択ストリームを一つだけ選択してもよいし、複数選択してもよい。また、選択ストリームを繰り返し再生するか、１回のみ再生を行うかなどの再生条件を選択させるように構成してもよい。
【００３５】
ユーザーにより選択ストリームが選択されると、システム制御部１１１は、メインストリームの再生と平行して、選択ストリームの再生を行う。この時、選択ストリームが音声ストリームの場合、メインストリームに含まれる音声情報は再生を行わないように、出力制御部１０４に指示を行う。これは、選択ストリームの再生を優先するためである。
【００３６】
ユーザーにより選択された選択ストリームが音声ストリームである場合、システム制御部１１１は、光ディスク１０１から上記選択ストリームに対応したファイルを読み出し、音声デコーダ１０７にデータが供給されるように出力制御部１０４を制御する。この時、メインストリームの再生も並列して行なう必要があるので、メインストリームのストリームの読み出しと、選択ストリームのストリーム読み出しを交互に行い、出力制御部１０４で出力先を切り換えることにより、音声の出力と映像の出力を同時に行うことができる。
【００３７】
選択ストリームの再生は、ユーザーにより選択された選択ストリームを順次再生するように制御する。選択ストリームの再生は、メインストリームの再生とは独立して行われる。
【００３８】
ここで、ユーザーがメインストリームのストリームに対して一時停止や早送り、スキップなどの操作を行った場合、ユーザーの操作に応じて、メインストリームとして再生されるストリームの出力データは変化する。メインストリームのデータは、映像デコーダ１０９に入力され、ユーザーの操作に応じた映像が、映像デコーダによりデコードされ、モニター画面に表示される。例えば、ユーザーによりスキップボタンが押された場合、プレイリスト中の次のメインストリーム情報に対応したストリームの再生を開始するように、システム制御部１１１が制御を行う。
【００３９】
この時、選択ストリームの再生は、メインストリームの再生とは独立して行われているので、ユーザーの操作に関わらず、選択ストリーム中の音声は連続して出力される。音声の選択は、選択ストリーム操作により行われる。
【００４０】
そのため、プレイリスト中のメインストリームの映像を一時停止・早送り・スキップなどの操作を行った場合にも、選択ストリーム中の音声を連続して再生することにより、音声が途切れることを防止できる。
【００４１】
メインストリームの映像として、静止画情報を記録している場合には、スライド写真のようにユーザーは任意の画面を選択でき、その際にも、音声はＢＧＭの如く連続して再生される。
【００４２】
なお、上記の具体例では、プレイリストの再生開始時に選択ストリームの選択をユーザーに促していたが、これは限定されるものではなく、例えばユーザーによるリモコン操作により選択ストリームを選択するメニューを表示し、メインストリーム再生中の任意の場所で選択が行われるようにしても何ら問題はない。
【００４３】
上記具体例では、記録媒体として光ディスクを使用しているが、これはもちろん限定されるものではなく、ハードディスク装置や半導体メモリなどを用いたランダムアクセス可能な記録媒体であれば使用可能である。
【００４４】
本発明は、メインストリームの他に、ユーザーによって選択可能なストリームを設け、これをメインストリームと平行して再生するように制御ことにより、ハードウェア構成やファイルシステム、データ構造によらず可能である。
【００４５】
【発明の効果】
本発明によれば、映像情報を再生中に、映像情報とは独立して任意の音声情報を再生することができるので、表示されている映像を停止したり、戻したり、進めたりした場合にも、音声は連続して再生される。したがって、静止画のスライド表示を行う場合にも、ＢＧＭとしての音楽が途切れることなく、連続して再生される。
【図面の簡単な説明】
【図１】図１は、本発明を適用した実施例である再生装置のブロック図である。
【図２】図２は、図１で示した再生装置で使用する光ディスク上のファイル構成を示す図である。
【図３】図３は、プレイリストテーブルの構造を示す図である。
【図４】図４は、プレイリストの構造を示す図である。
【図５】図５は、本実施例にかかるＭＰＥＧストリームの記録形式を示す図である。
【符号の説明】
１０１…光ディスク、１０２…光ピックアップ、１０３…再生信号処理回路、１０４…出力制御部、１０７…音声デコーダ、１０９…映像デコーダ、１１１…システム制御部、４０４…メインストリーム情報、４０５…ファイル識別子情報、４０６…再生開始パケット番号、４０７…再生終了パケット番号、４０８…付加情報、４０９…選択ストリーム情報。
【図１】
2004334964.tif 000003
【図２】
2004334964.tif 000004
【図３】
2004334964.tif 000005
【図４】
2004334964.tif 000006
【図５】
2004334964.tif 000007